(57)【要約】【課題】バッテリ状態監視回路に端子を追加することなく、過電流検出回路により放電過電流が検出された場合に、過放電セルバランスを機能させずに放電を禁止することが可能なバッテリ状態監視回路及びバッテリ装置。【解決手段】過電流検出回路の検出信号を、過電流検出回路が設けられた側のバッテリ状態監視回路の過放電信号の通信端子と過充電信号の通信端子とに入力する。過放電セルバランス回路は、過放電検出信号が過放電検出否状態で、過放電信号が過放電状態で、過充電信号が過充電状態否のときに、セルバランス信号を出力する。【選択図】図１
2010183708.tif 000002
【特許請求の範囲】
【請求項１】
１つのバッテリの正極端子との接続に用いられる第１電圧監視端子と、
前記バッテリの負極端子との接続に用いられる第２電圧監視端子と、
第１送信端子と、
第２送信端子と、
第１受信端子と、
第２受信端子と、
制御端子と、
前記第１電圧監視端子と前記第２電圧監視端子との間の電圧に基づいて、前記バッテリが過充電状態か否かを検出し、当該検出結果を示す過充電検出信号を出力する過充電検出回路と、
前記第１電圧監視端子と前記第２電圧監視端子との間の電圧に基づいて、前記バッテリが過放電状態か否かを検出し、当該検出結果を示す過放電検出信号を出力する過放電検出回路と、
前記第１電圧監視端子と前記第２電圧監視端子との間の電圧に基づいて、前記バッテリをセルバランス制御する必要があるか否かを検出し、当該検出結果を示すセルバランス信号を前記制御端子へ出力する過放電セルバランス回路と、
前記第１受信端子を介して受信した、他のバッテリが過充電状態か否かを示す過充電信号と、前記過充電検出信号との少なくとも一方が過充電状態を示す場合、過充電状態であることを示す過充電信号を前記第１送信端子から外部に送信する過充電情報通信回路と、
前記第２受信端子を介して受信した、他のバッテリが過放電状態か否かを示す過放電信号と、前記過放電検出信号との少なくとも一方が過放電状態を示す場合、過放電状態であることを示す過放電信号を前記第２送信端子から外部に送信する過放電情報通信回路と、を備え、
前記過放電セルバランス回路は、前記過放電検出信号と前記過放電信号と前記過充電信号が入力され、前記過放電検出信号が過放電検出否状態で、前記過放電信号が過放電状態で、前記過充電信号が過充電状態否のときに、前記セルバランス信号を出力することを特徴とするバッテリ状態監視回路。
【請求項２】
第１外部端子及び第２外部端子と、
直列接続された複数のバッテリと、
前記複数のバッテリの各々に対応して設けられた請求項１記載のバッテリ状態監視回路と、
前記複数のバッテリの各々に並列接続され、各バッテリに対応する前記バッテリ状態監視回路の制御端子から出力されるセルバランス信号に応じて２端子間の接続と非接続を切り替えるセルバランス用スイッチ回路と、
前記第１外部端子と前記複数のバッテリの間に設けられ、前記複数のバッテリの充電の許可または禁止を切り替える充電用スイッチ回路と、
前記第１外部端子と前記複数のバッテリの間に設けられ、前記複数のバッテリの放電の許可または禁止を切り替える放電用スイッチ回路と、
前記第２外部端子と前記複数のバッテリの間に設けられ、前記複数のバッテリの放電過電流状態か否かを検出し、当該検出結果を示す過電流検出信号を出力する過電流検出回路と、を備え、
前記バッテリ状態監視回路の第１電圧監視端子は各々に対応するバッテリの正極端子と接続され、前記第２電圧監視端子は各々に対応するバッテリの負極端子と接続され、前記第１送信端子は隣接する一方のバッテリ状態監視回路の第１受信端子と接続され、第２送信端子は隣接する一方のバッテリ状態監視回路の第２受信端子と接続され、前記第１受信端子は隣接する他方のバッテリ状態監視回路の第１送信端子と接続され、第２受信端子は隣接する他方のバッテリ状態監視回路の第２送信端子と接続されており、
前記過電流検出回路の出力端子は、前記直列接続された複数のバッテリの内の前記第２外部端子側のバッテリに対応する前記バッテリ状態監視回路の第１受信端子および第２受信端子に接続されていることを特徴とするバッテリ装置。
【発明の詳細な説明】
【技術分野】
【０００１】
本発明は、バッテリの状態を監視するバッテリ状態監視回路、及び、バッテリ状態監視回路を複数個搭載するバッテリ装置に関する。
【背景技術】
【０００２】
図２に、従来のバッテリ状態監視回路を備えたバッテリ装置の回路図を示す。
【０００３】
バッテリ装置は、直列接続されたｎ個のバッテリＢＴ1〜ＢＴnと、各バッテリＢＴ1〜ＢＴn毎に並列接続されたｎ個のスイッチ（セルバランス用スイッチ回路）ＳＷ1〜ＳＷnと、各バッテリＢＴ1〜ＢＴnに対応して個別に設けられたｎ個のバッテリ状態監視回路ＢＭＦ1〜ＢＭＦnと、第１トランジスタ（充電用ｐチャネル型トランジスタ）１０と、第２トランジスタ（放電用ｐチャネル型トランジスタ）１１と、第１抵抗素子（第１バイアス用抵抗素子）２０と、第２抵抗素子（第２バイアス用抵抗素子）２１と、過電流検出回路Ｘと、第１外部端子３０及び第２外部端子３１と、を備えている。
【０００４】
バッテリ状態監視回路ＢＭＦ1は、過充電検出回路Ａ1、第１ＮＯＲ回路Ｂ1、第１出力トランジスタＣ1、第１インバータＤ1、第２インバータＥ1、第１電流源Ｆ1、過放電検出回路Ｇ1、第２ＮＯＲ回路Ｈ1、第２出力トランジスタＩ1、第３インバータＪ1、第４インバータＫ1、第２電流源Ｌ1、セルバランス回路Ｍ1、過放電セルバランス回路ＸＣ1、第１ＯＲ回路ＸＤ1、第１電圧監視端子ＰＡ1、第２電圧監視端子ＰＢ1、第１送信端子ＰＣ1、第２送信端子ＰＤ1、第１受信端子ＰＥ1、第２受信端子ＰＦ1及び制御端子ＰＧ1を備えている。また、このような構成要素を備えるバッテリ状態監視回路ＢＭＦ1は、１チップのＩＣ（半導体装置）として構成されている。なお、上記の構成要素において、第１ＮＯＲ回路Ｂ1、第１出力トランジスタＣ1、第１インバータＤ1、第２インバータＥ1、第１電流源Ｆ1は、過充電情報通信回路を構成しており、第２ＮＯＲ回路Ｈ1、第２出力トランジスタＩ1、第３インバータＪ1、第４インバータＫ1、第２電流源Ｌ1は、過放電情報通信回路を構成している。
【０００５】
過放電セルバランス回路ＸＣ1は第５インバータＸＡ1と、第１ＡＮＤ回路ＸＢ1で構成されており、第１ＯＲ回路ＸＤ1は過放電セルバランス回路ＸＣ1とセルバランス回路Ｍ1の出力を受け、制御信号を制御端子ＰＧ1を介してスイッチＳＷ1に出力する。
【０００６】
他のバッテリ状態監視回路ＢＭＦ2〜ＢＭＦnは、バッテリ状態監視回路ＢＭＦ1と同一の構成要素を備えているので符号のみを変えて図示する。例えば、バッテリ状態監視回路ＢＭＦ2における過充電検出回路の符号はＡ2とし、バッテリ状態監視回路ＢＭＦnにおける過充電検出回路の符号はＡnとする。他の構成要素についても同様である。
【０００７】
バッテリ状態監視回路ＢＭＦnは、第１受信端子ＰＥn及び第２受信端子ＰＦnに接続されるべき信号を出力するバッテリ状態監視回路が存在しない。従って、過充電検出信号を受信する第１受信端子ＰＥnはプルダウンされている。
【０００８】
過電流検出回路Ｘは、第１外部端子３０と第２外部端子３１の放電経路の間に設けられ、出力端子をバッテリ状態監視回路ＢＭＦnの第２受信端子ＰＦnに接続している。過電流検出回路Ｘは、過電流を電圧によって検出するため、電流を電圧に変換する素子、例えば抵抗素子と、電圧を検出する比較回路などで構成される。
【０００９】
図２に示したバッテリ装置は、第１外部端子３０と第２外部端子３１との間に負荷または充電器を接続することにより、放電または充電を行う。
【００１０】
通常状態時、つまりバッテリＢＴ1〜ＢＴnの全ての電圧が、過充電電圧未満且つ過放電電圧以上の範囲に含まれている場合において、バッテリ状態監視回路ＢＭＦ1の過充電検出回路Ａ1は、ローレベルの過充電検出信号を第１ＮＯＲ回路Ｂ1に出力する。
【００１１】
この時、バッテリ状態監視回路ＢＭＦ2の第１出力トランジスタＣ2はオンとなっているため（この理由については後述する）、バッテリ状態監視回路ＢＭＦ1の第２インバータＥ1の入力端子はローレベルとなり、第１インバータＤ1からローレベルの出力信号が第１ＮＯＲ回路Ｂ1に出力される。第１ＮＯＲ回路Ｂ1は、ローレベルの過充電検出信号とローレベルの第１インバータＤ1の出力信号が入力されるため、ハイレベルの否定論理和信号を第１出力トランジスタＣ1のゲート端子に出力する。これにより、第１出力トランジスタＣ1はオンとなるため、第１送信端子ＰＣ1はローレベルとなり、第１トランジスタ１０はオンとなる。
【００１２】
ここで、バッテリ状態監視回路ＢＭＦ2の第１出力トランジスタＣ2がオンとなっている理由について説明する。最下段のバッテリ状態監視回路ＢＭＦnの第１受信端子ＰＥnはバッテリＢＴnの負極端子と接続されているため、第２インバータＥnの入力端子は常にローレベルとなっている。従って、第１インバータＤnは、常にローレベルの出力信号を第１ＮＯＲ回路Ｂnに出力し、過充電検出回路Ａnは、ローレベルの過充電検出信号を第１ＮＯＲ回路Ｂnに出力する。これにより、第１ＮＯＲ回路Ｂnは、ハイレベルの否定論理和信号を第１出力トランジスタＣnのゲート端子に出力し、バッテリ状態監視回路ＢＭＦnの第１出力トランジスタＣnはオンとなる。
【００１３】
これにより、バッテリ状態監視回路ＢＭＦn-1の第２インバータＥn-1の入力端子はローレベルとなり、第１インバータＤn-1からローレベルの出力信号が第１ＮＯＲ回路Ｂn-1に出力される。一方、過充電検出回路Ａn-1は、ローレベルの過充電検出信号を第１ＮＯＲ回路Ｂn-1に出力するので、第１ＮＯＲ回路Ｂn-1は、ハイレベルの否定論理和信号を第１出力トランジスタＣn-1のゲート端子に出力する。これにより、バッテリ状態監視回路ＢＭＦn-1の第１出力トランジスタＣn-1はオンとなる。
【００１４】
上記のような動作が上段側のバッテリ状態監視回路と下段側のバッテリ状態監視回路とで繰り返され、バッテリ状態監視回路ＢＭＦ2の第１出力トランジスタＣ2がオンとなるのである。
【００１５】
また、このような通常状態時において、バッテリ状態監視回路ＢＭＦ1の過放電検出回路Ｇ1は、ローレベルの過放電検出信号を第２ＮＯＲ回路Ｈ1に出力する。この時、バッテリ状態監視回路ＢＭＦ2の第２出力トランジスタＩ2もオンとなっているため、バッテリ状態監視回路ＢＭＦ1の第４インバータＫ1の入力端子はローレベルとなり、第３インバータＪ1からローレベルの出力信号が第２ＮＯＲ回路Ｈ1に出力される。第２ＮＯＲ回路Ｈ1は、ローレベルの過放電検出信号とローレベルの第３インバータＪ1の出力信号が入力されるため、ハイレベルの否定論理和信号を第２出力トランジスタＩ1のゲート端子に出力する。これにより、第２出力トランジスタＩ1はオンとなるため、第２送信端子ＰＤ1はローレベルとなり、第２トランジスタ１１はオンとなる。
【００１６】
以上のように通常状態時においては、第１トランジスタ１０及び第２トランジスタ１１がオンとなるため、バッテリ装置は充電及び放電可能な状態となる。
【００１７】
次に過放電状態時、つまり、第１外部端子３０と第２外部端子３１との間に負荷が接続されてバッテリＢＴ1〜ＢＴnが放電し、これらバッテリＢＴ1〜ＢＴnの少なくとも１つの電圧が過放電電圧未満となった場合について説明する。なお、以下では、バッテリＢＴ1の電圧が過放電電圧より高く、かつバッテリＢＴ2の電圧が過放電電圧未満となった場合を想定して以下に説明する。
【００１８】
この場合、バッテリ状態監視回路ＢＭＦ2の過放電検出回路Ｇ2は、ハイレベルの過放電検出信号を第２ＮＯＲ回路Ｈ2に出力する。そして第２ＮＯＲ回路Ｈ2は、ローレベルの否定論理和信号を第２出力トランジスタＩ2のゲート端子に出力する。これにより、第２出力トランジスタＩ2はオフとなる。
【００１９】
第４インバータＫ1の入力端子は、第２電流源Ｌ1によってハイレベルにプルアップされ、第３インバータＪ1からハイレベルの出力信号が第２ＮＯＲ回路Ｈ1に出力される。そして第２ＮＯＲ回路Ｈ1は、ローレベルの否定論理和信号を第２出力トランジスタＩ1のゲート端子に出力する。これにより、第２出力トランジスタＩ1はオフとなる。
【００２０】
上記のように第２出力トランジスタＩ1がオフになると、第２トランジスタ１１のゲートは第２抵抗素子２１によってハイレベルとなり、第２トランジスタ１１はオフとなるので、負荷への放電が禁止されることになる。
【００２１】
また、バッテリＢＴ1の電圧が過放電電圧より高いので、過放電検出回路Ｇ1はローレベルの信号を出力している。従って、第１ＡＮＤ回路ＸＢ1は、第５インバータＸＡ1からのハイレベルの信号と第３インバータＪ1からのハイレベルの信号を入力されるので、ハイレベルの信号、すなわち過放電セルバランス信号を第１ＯＲ回路ＸＤ1へ出力する。
【００２２】
この場合、過放電セルバランス信号を受けることで第１ＯＲ回路ＸＤ1は制御端子ＰＧ1を通じてスイッチＳＷ1をオンし、バッテリＢＴ1はスイッチＳＷ1を介して放電する。放電が進み、バッテリＢＴ1の電圧が過放電電圧に達すると過放電検出回路Ｇ1からハイレベルの過放電検出信号が出力され、その結果第１ＯＲ回路ＸＤ1は制御端子ＰＧ1を通じてスイッチＳＷ1をオフして放電が停止する。
【００２３】
上記のような動作によって、バッテリＢＴ1とバッテリＢＴ2は、いずれも過放電電圧近傍の電圧となる。このようにセルバランスをとることによって、バッテリ装置の稼働時間を長くすることができる。
【００２４】
過電流検出回路Ｘは、バッテリ装置の第１外部端子３０と第２外部端子３１の間に接続された負荷に過大な放電電流（以降「過電流」と呼ぶ）が流れていることを検出する。過電流検出回路Ｘは、過電流を検出していない状態では第２受信端子ＰＦnをローレベルにプルダウンしている。過電流が発生すると、過電流検出回路Ｘは第２受信端子ＰＦnのプルダウンを停止することで過電流検出情報をバッテリ状態監視回路ＢＭＦnへ伝達する。すると、第２電流源Ｌnが第４インバータＫnの入力をプルアップするので、バッテリ状態監視回路ＢＭＦnの過放電情報通信回路を介して次段のバッテリ状態監視回路ＢＭＦn-1へ信号が伝達され、最終的にはバッテリ状態監視回路ＢＭＦ1が負荷への放電を禁止する。
【先行技術文献】
【特許文献】
【００２５】
【特許文献１】特願２００７−１７８８３４
【発明の開示】
【発明が解決しようとする課題】
【００２６】
しかしながら図２の例では、過電流の検出によって負荷への放電が禁止された場合、同時に各バッテリのセルバランス用スイッチ回路ＳＷ1〜ＳＷnがオンされることで各バッテリの放電が進行してしまうという問題がある。
【００２７】
すなわち、各バッテリ状態監視回路が第２受信端子ＰＦ1〜ＰＦnを介して信号を受けると、それが過放電検出に由来する信号なのか、過電流検出に由来する信号なのか、各バッテリ状態監視回路は識別をすることができない。従って、たとえ過電流検出により放電を停止したい場合であっても、各バッテリ状態監視回路はいずれかのバッテリ状態監視回路が過放電検出したとみなして過放電セルバランス信号を出力し、セルバランス用スイッチ回路をオンさせてしまう。これでは過電流を検出した後にすべてのバッテリの電圧が過放電電圧まで低下してしまい、バッテリ装置を再度充電して電圧を復帰させるまで使用できなくなり、著しく使い勝手が悪化する。
【００２８】
本発明は、上述した事情に鑑みてなされたものであり、過電流検出機能を追加しても使い勝手の良いバッテリ状態監視回路及びバッテリ装置を提供することを目的とする。
【課題を解決するための手段】
【００２９】
上記目的を達成するために、本発明のバッテリ状態監視回路は、直列接続された複数のバッテリの各々に対応して設けられたバッテリ状態監視回路であって、過充電検出信号を出力する過充電検出回路と、過放電検出信号を出力する過放電検出回路と、過放電セルバランス回路と、第１受信端子を介して受信した過充電信号を第１送信端子から外部に送信する過充電情報通信回路と、第２受信端子を介して受信した過放電信号を第２送信端子から外部に送信する過放電情報通信回路と、を備え、過放電セルバランス回路は、過放電検出信号が過放電検出否状態で、過放電信号が過放電状態で、過充電信号が過充電状態否のときに、セルバランス信号を出力することを特徴とする。
【発明の効果】
【００３０】
本発明によれば、バッテリ状態監視回路に端子を追加することなく、過電流検出回路により放電過電流が検出された場合に、過放電セルバランスを機能させずに放電を禁止することが可能となる。
【図面の簡単な説明】
【００３１】
【図１】本発明の実施形態に係るバッテリ装置の回路図である。
【図２】従来のバッテリ装置の回路図である。
【発明を実施するための最良の形態】
【００３２】
図１は、本発明の実施形態に係るバッテリ装置の回路図である。
【００３３】
本発明の実施形態に係るバッテリ装置は、直列接続されたｎ個のバッテリＢＴ1〜ＢＴnと、各バッテリＢＴ1〜ＢＴn毎に並列接続されたｎ個のスイッチ（セルバランス用スイッチ回路）ＳＷ1〜ＳＷnと、各バッテリＢＴ1〜ＢＴnに対応して個別に設けられたｎ個のバッテリ状態監視回路ＢＭＦ1〜ＢＭＦnと、第１トランジスタ（充電用ｐチャネル型トランジスタ）１０と、第２トランジスタ（放電用ｐチャネル型トランジスタ）１１と、第１抵抗素子（第１バイアス用抵抗素子）２０と、第２抵抗素子（第２バイアス用抵抗素子）２１と、過電流検出回路Ｘと、第１外部端子３０及び第２外部端子３１と、を備えている。
【００３４】
バッテリ状態監視回路ＢＭＦ1は、過充電検出回路Ａ1、第１ＮＯＲ回路Ｂ1、第１出力トランジスタＣ1、第１インバータＤ1、第２インバータＥ1、第１電流源Ｆ1、過放電検出回路Ｇ1、第２ＮＯＲ回路Ｈ1、第２出力トランジスタＩ1、第３インバータＪ1、第４インバータＫ1、第２電流源Ｌ1、セルバランス回路Ｍ1、過放電セルバランス回路ＸＣ1、第１ＯＲ回路ＸＤ1、第１電圧監視端子ＰＡ1、第２電圧監視端子ＰＢ1、第１送信端子ＰＣ1、第２送信端子ＰＤ1、第１受信端子ＰＥ1、第２受信端子ＰＦ1及び制御端子ＰＧ1を備えている。また、このような構成要素を備えるバッテリ状態監視回路ＢＭＦ1は、１チップのＩＣ（半導体装置）として構成されている。なお、上記の構成要素において、第１ＮＯＲ回路Ｂ1、第１出力トランジスタＣ1、第１インバータＤ1、第２インバータＥ1、第１電流源Ｆ1は、過充電情報通信回路を構成しており、第２ＮＯＲ回路Ｈ1、第２出力トランジスタＩ1、第３インバータＪ1、第４インバータＫ1、第２電流源Ｌ1は、過放電情報通信回路を構成している。
【００３５】
過放電セルバランス回路ＸＣ1は、第５インバータＸＡ1と、第６インバータＸＥ1と、３入力の第２ＡＮＤ回路ＸＦ1で構成されている。第２ＡＮＤ回路ＸＦ1の入力には、過放電検出回路Ｇ1の出力端子が接続され、第３インバータＪ1と第４インバータＫ1を介して第２受信端子ＰＦ1が接続され、第６インバータＸＥ1を介して第１受信端子ＰＥ1が接続されている。
【００３６】
第１ＯＲ回路ＸＤ1は過放電セルバランス回路ＸＣ1とセルバランス回路Ｍ1の出力を受け、制御信号を制御端子ＰＧ1を介してスイッチＳＷ1に出力する。
【００３７】
他のバッテリ状態監視回路ＢＭＦ2〜ＢＭＦnは、バッテリ状態監視回路ＢＭＦ1と同一の構成要素を備えているので符号のみを変えて図示する。例えば、バッテリ状態監視回路ＢＭＦ2における過充電検出回路の符号はＡ2とし、バッテリ状態監視回路ＢＭＦnにおける過充電検出回路の符号はＡnとする。他の構成要素についても同様である。
【００３８】
過電流検出回路Ｘは、第１外部端子３０と第２外部端子３１の放電経路の間に設けられ、出力端子をバッテリ状態監視回路ＢＭＦnの第１受信端子ＰＥn及び第２受信端子ＰＦnに接続している。過電流検出回路Ｘは、過電流を電圧によって検出するため、電流を電圧に変換する素子、例えば抵抗素子と、電圧を検出する比較回路などで構成される。
【００３９】
本発明の実施形態に係るバッテリ装置は、第１外部端子３０と第２外部端子３１との間に負荷または充電器を接続することにより、放電または充電を行う。本発明の実施形態に係るバッテリ装置の過電流検出時以外の動作は、従来のバッテリ装置と同様であるので説明は省略する。
【００４０】
本発明の実施形態に係るバッテリ装置の過電流検出時の動作を説明する。
【００４１】
過電流検出回路Ｘは、過電流を検出していない状態では第１受信端子ＰＥnおよび第２受信端子ＰＦnをローレベルにプルダウンしている。
【００４２】
過電流検出回路Ｘは，過電流を検出すると出力端子からハイレベルの電圧を出力する。従って、最端段のバッテリ状態監視回路ＢＮＦnの第２受信端子ＰＦnがハイレベルとなることで過電流検出情報、すなわち放電の禁止をバッテリ状態監視回路ＢＮＦnへ伝達する。そして、第２電流源Ｌnが第４インバータＫnの入力をプルアップするので、バッテリ状態監視回路ＢＮＦnの過放電情報通信回路を介して次段のバッテリ状態監視回路ＢＮＦn-1へ信号が伝達され、最終的にはバッテリ状態監視回路ＢＮＦ1が第２トランジスタ１１をオフすることによって、負荷への放電を禁止する。
【００４３】
バッテリＢＴnの電圧が過放電電圧より高い場合は、過放電検出回路Ｇnはローレベルの信号を出力している。従って、第２ＡＮＤ回路ＸＦnは、第５インバータＸＡnからのハイレベルの信号と第３インバータＪｎからのハイレベルの信号を入力される。
【００４４】
ここで、過電流検出回路Ｘは最端段のバッテリ状態監視回路ＢＮＦnの第１受信端子ＰＥnにも接続されている。すなわち、過電流検出回路Ｘが第１受信端子ＰＥnの電圧をハイレベルとすることで、第６インバータＸＥnの出力はローレベルとなり、第２ＡＮＤ回路ＸＦn出力はハイレベルにならない。従って、過電流検出によっても第１ＯＲ回路ＸＤnの出力はローレベルを維持し、スイッチＳＷnはオンすることなく、放電セルバランスは機能しない。
【００４５】
また、バッテリ状態監視回路ＢＮＦnの過充電情報通信回路を介して次段のバッテリ状態監視回路ＢＮＦn-1へも信号が伝達されるため、同様にしてバッテリ状態監視回路ＢＮＦn-1のセルバランス用スイッチＳＷn-1もオンしない。
【００４６】
このように、図１に示した本発明によれば、過放電セルバランス回路に簡単な回路を追加するだけで、過電流検出時に過放電セルバランスを機能させないことができるため、使い勝手が向上する。
【符号の説明】
【００４７】
ＢＴ1〜ＢＴn…バッテリ
ＳＷ1〜ＳＷn…スイッチ
ＢＭ1〜ＢＭn…バッテリ状態監視回路
１０…第１トランジスタ
１１…第２トランジスタ
２０…第１抵抗素子
２１…第２抵抗素子
３０…第１外部端子
３１…第２外部端子
Ａ1…過充電検出回路
Ｂ1…第１ＮＯＲ回路
Ｃ1…第１出力トランジスタ
Ｄ1…第１インバータ
Ｅ1…第２インバータ
Ｆ1…第１電流源
Ｇ1…過放電検出回路
Ｈ1…第２ＮＯＲ回路
Ｉ1…第２出力トランジスタ
Ｊ1…第３インバータ
Ｋ1…第４インバータ
Ｌ1…第２電流源
Ｍ1…セルバランス回路
ＰＡ1…第１電圧監視端子
ＰＢ1…第２電圧監視端子
ＰＣ1…第１送信端子
ＰＤ1…第２送信端子
ＰＥ1…第１受信端子
ＰＦ1…第２受信端子
ＰＧ1…制御端子
ＸＣ1…過放電セルバランス回路
ＸＤ1…第１ＯＲ回路
ＸＡ1…第５インバータ
ＸＢ1…第１ＡＮＤ回路
ＸＥ1…第６インバータ
ＸＦ1…第２ＡＮＤ回路
Ｘ…過電流検出回路
【図１】
2010183708.tif 000003
【図２】
2010183708.tif 000004